(57)【要約】      （修正有）【課題】従来の電気ストーブは、ニクロム線剥き出しの物がほとんどで有り、電気消費が、多い割に大きい部屋は直ぐに暖まりずらかった。【解決手段】ニクロム線に陶器又はアルミニュームなどの電気が、通らない物質を巻いた上に銅などの金属を被せた水管いりの電熱パネルにレールモーター送風して、お湯をスクリュー官などに一度通して湯のスピードを上げた上での発電を行いこの他軽水素ニッケルパネルを湯タンク内の内側に張り付け二通りの発電によって、他の電気ストーブより省エネルギーを目指したお湯送風を目指した電気ストーブ。【選択図】図１
2012052788.tif 000002
【特許請求の範囲】
【請求項１】
本先知的所有財産先発明のニクロム電熱金属と水管又は湯官を備え水蒸気を、お湯の中に戻すお湯の沸騰による、膨張爆発を和らげた構造を備えた電気ストーブ装置。（公序良俗違反につき、不掲載）
【請求項２】
本先知的所有財の先発明の穴空きのニクロム金属パネルに水管又は湯官構造を備えて電気モーターで送風して部屋を、省エネルギーで、暖める機能を備えた電気ストーブ装置。（公序良俗違反につき、不掲載）
【請求項３】
本先知的所有財産の先発明の電気ストーブは、携帯電話で、スイッチを入れれる新しいシステム携帯電波スイッチ作動の電気ストーブ。（公序良俗違反につき、不掲載）
【請求項４】
本先知的所有財産の先発明の電気ストーブの二連ファンの一つは、モータースイッチで、外したり付けたりする事が、行える電気ストーブ装置。（公序良俗違反につき、不掲載）
【請求項５】
本先知的所有財産の先発明の熱湯スクリュー官は、沸騰した湯を拡散させずお湯の流れにスピードを付ける事の出来きて、スクリュー湯のあたり動作によってスクリュー湯スプリング押し弁を作動させる事の出来る装置を備えた電気ストーブ。（公序良俗違反につき、不掲載）
【請求項６】
本先知的所有財産の先発明は、上記先知的所有財産の先発明の、熱湯スクリュー官からスピード良く出るお湯官スピード湯を利用して、二連水車歯車モーターのスクリュー湯受け羽を利用して超小型の薄ダイナモを回転させて発電補助出来る装置を取り付けた電気ストーブ。（公序良俗違反につき、不掲載）
【請求項７】
本先知的所有財産の先発明は、家庭用電源と二連振り子機械式発電機の二つの電源使用な電気ストーブ。（公序良俗違反につき、不掲載）
【請求項８】
本先知的所有財産の先発明は、ニクロム線に細い陶器を被せて熱電導の良い銅金属を被せた構造の電気ニクロム金属パネルの電気ストーブ。（公序良俗違反につき、不掲載）
【請求項９】
本先知的所有財産の先発明の電気ストーブは、二つのお湯循環型タンクの内壁全体に湯温の上昇に伴って発電出来る軽水素ニッケルダイオード発電パネルを内蔵した電気ストーブ。
【発明の詳細な説明】
【技術分野】
【０００１】本知的所有財産の先発明は、一般家庭の電気ストーブの省エネルギー技術に関する説明。（公序良俗違反につき、不掲載）
【背景技術】
【０００２】
従来の家庭用の電気ストーブには、機械式発電機又は二連振り子型機械式発電機は、一切取り付けられていなかった電気ストーブ装置。(例えば特許文献1参照。)(特許文献2参照。)。
【０００３】
また、従来の電気ストーブには、ニクロム内蔵パネルの電気ストーブ装置が一切なかった。
【０００４】しかも、従来の電気ストーブには、上記説明のニクロム内蔵パネル更に湯官又は水官が、ニクロム内蔵のパネルないに入った温風式ストーブは一切なかった。（公序良俗違反につき、不掲載）【０００５】更に湯の沸騰水又は湯の沸騰水を利用したスクリュー官を利用してスクリュー湯受け羽を使用した薄ダイナモ補助発電の電気ストーブは他になかった電気ストーブ。（公序良俗違反につき、不掲載）【０００６】尚、従来の電気ストーブには逆ファン型のストーブはなかった。以下図1と図2と図3と図4に付いて説明する。図1に置いて従来型電気ストーブは、ニクロム線以外ほとんど、新しい電気ストーブシステムである。尚、(2)ニクロム金属板パネルは、従来のニクロム電熱線に湯官を取り付け電気電導の早い銅金属を被せた装置であり、(5)は電気コードそして(15)は、スイッチのシステム電気制御スイッチであり、(18)持ちて装置そして、(16,17、)はファン風調整枠又は火傷防止枠付きのものがある。（公序良俗違反につき、不掲載）【０００７】図2に於いて、通常市販されている電気ストーブは反射板式の物と、フアン式の物がある。従って、(20)は、省エネルギーのレールモーターになってるが他では通常モーターで有り、(2)ニクロム金属板パネルは通常では、ただのニクロム線で有る。尚(21)は、冷却材入りパネルだが、他はただの金属反射板で有り、従来の電気ストーブ図2の説明で有る。（公序良俗違反につき、不掲載）【０００８】図3に於いて、電気ストーブの(3)ニクロム金属板電気コンロ装置を説明した図で有り、一般に知られて入る調理コンロでは、ガス装置の物と電子発生装置を取り付けた電子調理コンロが、多く見られる。（公序良俗違反につき、不掲載）【０００９】図4に於いて従来の電気ストーブ説明をする。(2)は、ニクロム金属板パネルであり、従来型は、ニクロム線剥き出しの状態の電気ストーブであった。（公序良俗違反につき、不掲載）
【先行技術文献】
【特許文献】
【００１０】
【特許文献１】特開2004ー304992号広報
【００１１】
【特許文献２】特開2003ー328925号広報
【００１２】
【特許文献３】特開2006ー254697号広報
【発明の概要】
【発明が解決しようとする課題】
【００１３】（公序良俗違反につき、不掲載）上記文章に述べたのが、従来の電気ストーブで有り、電気消費が、多い事と部屋を暖めるのには沢山の電気ニクロム線が必要であった。（公序良俗違反につき、不掲載）【００１４】
本発明は、このような従来の構成が有していた問題を解決しようとするものであり、電熱ニクロム本来の電気熱活用をフルに活用するため、湯温調整装置と湯温発電と湯エネルギーを発電エネルギーに変えるためスクリュー官にお湯を通してスピードを付けて、スクリュー湯受け羽を回転させる事の二つの湯に基ずく発電方法によって、電気消費をいかに押さえる事と湯温を下げずに湯温能力を最大限に引き出す事を目的とするものである。
【課題を解決するための手段】
【００１５】そして、本知的所有財産の先発明は上記目的を達成するためにニクロム線と水管に陶器又アルミニュームなどの絶縁体を被せて銅を被せてた穴空き電気熱パネルとした事によって、ニクロム電気熱によって一度水温から湯温に変え温風ヒーターとしての、ニクロム線熱の再利用を図るため、二つのお湯タンクの内側には、軽水素ニッケルダイオード発電パネルを二つの水タンクの内側に取り付けると同時に、熱湯スクリュー官は、お湯の温度が、沸騰手前の温度に達した時に、温度センサーの反応で、作動するお湯回転循環用細型のスクリューモーターによって、お湯は、スクリュー官を通る構造の電気ストーブは、沸騰湯温前の温度で、お湯の流れを早くする事で、電気ストーブ全体を暖める効果を発揮する。（公序良俗違反につき、不掲載）【００１６】
上記説明の続きとして、本先発明はニクロム電気消費を押さえるための二連歯車モーターの歯先が、圧電素子に超薄い鉄板を被せた電磁石になっているため、電磁石反発作動と、熱湯スクリュー官に通るお湯の流れスピードを利用して、スクリュー湯受け羽にお湯を当てる事で、超小型ダイナモフアンを二連歯車モーターで補助お湯組み上げ補助を行って、ニクロム金属板電気コンロ又はニクロム金属第二パネルいずれかを作動させて、お湯を再びスクリュー官に通してお湯スピードを上げて今まで閉じていたスクリュー湯スプリング押し弁を押して、第二タンクのお湯をスクリュウー官の押し弁エネルギーの分のお湯を、ニクロム金属板パネルに流し込む事で、お湯の沸騰爆発を避ける効果を発揮する電気ストーブ構造であり、今までの電気ストーブとは、異なった広い面積の部屋を一度に暖める事の効果を上げる事の出来る複数発電式の電気ストーブ。
【００１７】（公序良俗違反につき、不掲載）第二の課題解決として、スピードを上げたスクリュー蒸気又はスクリュー湯を湯中にてスクリュー放出する事で、沸騰水爆発を避ける事を狙いとして入る効果を発揮する。【００１８】（公序良俗違反につき、不掲載）電気ストーブが発電機と考えても電気ストーブです。（公序良俗違反につき、不掲載）次に現在の電気ストーブは、電気代が、かさむそのため、一度電熱ニクロム内蔵パネルで、水を一度暖めて省エネルギーとして、湯温のニクロム金属パネル入りの金属パネルで、暖める方式の電気ストーブ。（公序良俗違反につき、不掲載）【００１９】（公序良俗違反につき、不掲載）【００２０】（公序良俗違反につき、不掲載）【００２１】（公序良俗違反につき、不掲載）【００２２】（公序良俗違反につき、不掲載）【００２３】（公序良俗違反につき、不掲載）【００２４】（公序良俗違反につき、不掲載）
【発明の効果】
【００２５】
上述したように本先知的所有財産の電気ストーブは、今まで電気消費が、多くかかったニクロム電熱温風を水を一度、湯に変えて送風温風する事で、電気消費を押さえた電気ストーブを提供出来る。
【００２６】（公序良俗違反につき、不掲載）また、お湯タンク二つの内側に軽水素ニッケルダイオードパネルの発電装置と暖房を早くする時に使用するスクリュー湯受け羽すなわち、二連歯車モーターのスクリュー羽の補助を行った時超小型ダイナモファンの回転を即して発電する事によって、二つの発電システムは、電気ストーブの補助発電の効果を発揮するものである。
【図面の簡単な説明】
【００２７】【図１】お湯循環温度調整型ニクロム金属板電気ストーブの正面図【図２】ファン取り付け取り外し装置全体正面図【図３】ニクロム金属板電気コンロの全体図【図４】お湯循環温度調整型ニクロム金属板電気ストーブの説明図【図５】二連歯車モーター装置の構造説明図（公序良俗違反につき、不掲載）
【発明を実施するための形態】
【００２８】
以下、本発明の実施するための最良の形態を図1から図5に基ずいて説明する。
【００２９】図1に於いて(2)ニクロム金属パネルは、ニクロム線と(6)お湯循環型お湯タンクの水を(2)ニクロム金属パネルに水官を通って(2)ニクロム金属内に水セットとなる。此の場合、(56)第二お湯循環型タンク(56)の水は、(2)ニクロム金属板パネルへ水が流れ込まないように(35)スクリュー湯スプリング押し弁によって、(28)スクリュー官のスクリュー水の押し圧作動しない限り、(2)のニクロム金属板パネルの水は、(56)第二お湯循環型タンクへ移動しない構造になっている。（公序良俗違反につき、不掲載）
【００３０】図1の続き説明として、(2)ニクロム金属板パネルの水は、(5)電気コードの家庭電源か(4)機械式発電機のダイナモ発電の電気エネルギーで、(2)ニクロム金属板パネルの水は、ニクロム線によって水を暖める事となる。（公序良俗違反につき、不掲載）
【００３１】従って、一度に部屋を暖める場合は、(19)のニクロム金属第2パネルの電源を、(15)システムスイッチパネルの部屋温度設定で決まるのであり、部屋を一度に暖める場合(19)ニクロム金属第2パネルの電源と同時に(23)第二ファンを取り付けるために、(24)全自動ファン取り付け取り外し金具装置と(25)レールモーター部分全自動ファン取り付け取り外し金具によって(23)取り外されて入る第二ファンは、電磁石接着に基ずて、(26)ファン取り付け取り外しレールモーター装置接続によって、(23)第二ファンは、セットされて(27)ファン取り付け取り外しレールモーター回転ようによって、(23)第二ファンは、取り付けられる。又部屋温度を余り上げない場合は、上記説明のモーター取りはずしの反対説明になる。（公序良俗違反につき、不掲載）
【００３２】更に煮物などの調理をする場合は、(3)ニクロム金属板電気コンロのスイッチを入れるとまず最初に、(2)ニクロム金属板パネルから最初に暖め始める。これら、電熱線によって、暖められたお湯は、(12)お湯回転循環用スクリューモーターを作動させ、(28)熱湯スクリュー官をお湯が通り(46)(55)の二連歯車モーターの(29)(30)のスクリュー湯受け羽によって、お湯は、更に送られ(3)ニクロム金属板電気コンロを通って再び(9)熱湯スクリュー水蒸気瞬間液体戻し装置(56)第二お湯循環型タンクへ(28)スクリュー官を通ってスピード良く(35)スクリュー湯スプリング押し弁を押して(6)お湯循環型お湯タンク側にある(2)ニクロム金属板パネル側にお湯を注ぐ此の繰り返しが、正常な場合はお湯は、温度センサーの設定に基ずいて一定温度で、お湯循環送風暖房出来るお湯循環温度調整型ニクロム金属板電気ストーブである。（公序良俗違反につき、不掲載）
【００３３】本知的所有財産の先発明の二連歯車モーター(46)の構造と補助作動方法の説明を始める。 二連歯車モーターとは、二つの8本の電磁石のついた二組の羽式の電磁石で、水を羽で送るモーター補助装置で有り、二連歯車モーター1は、圧電素子に薄鉄板を被せた電磁石(38,39,40,41,42,43,44,45,)を従えた装置と二連歯車モーター2は、圧電素子に薄鉄板を被せた電磁石(47,48,49,50,51,52,53,54,)によって、図5に有るように(46)二連歯車モーター1の電磁石(42)と(55)二連歯車モーター2の電磁石(47)は、電磁石反発で、作動して回転出来る水送りモーター装置で有るが、(59)二連歯車モーター装置の回転位置認識確認装置と(60)二連歯車モーター装置の回転位置認識確認装置によって、モーター回転位置設定も出来るモーター水送り羽装置。（公序良俗違反につき、不掲載）
【００３４】
また、(16)ファン風前調整枠と(17)ファン風後調整枠の二つの開閉式のカバー付き(1)お湯循環温度調整型ニクロム金属板電気ストーブである。
【００３５】
図1に於いて(14)の携帯電話の携帯スイッチは、携帯電波の届く範囲ないで、(1)お湯循環温度調整型ニクロム金属板電気ストーブの携帯電話スイッチによって温度設定タイマー設定などが出来る装置。
【符号の説明】
【００３６】
1  お湯循環温度調整がたニクロム金属板電気ストーブ
2  ニクロム金属板パネル
3  ニクロム金属板コンロ
4  機械式発電機         
5  電気コード
6  循環型お湯タンク
7  お湯給水口
8  ニクロム金属板支え柱    
9  熱湯スクリュー気化水蒸気瞬間液体戻し装置。
10 戻り官ニクロム金属板装置
11 水温計
12 お湯  回転循環用スクリューモーター
13 湯温調整装置
14 アンテナ
15 システムスイッチパネル
16 前フアン風調整枠
17 後ファン風調整枠
18 電気ストーブ持ち手
19 ニクロム金属板パネル
20 レールモーター
21 冷却材入りパネル
22 第一ファン
23 第二フアン
24 全自動ファン取り付け取り外し金具
25 レールモーター部分全自動ファン取り付け取りはずし金具
26 ファン取り付け取り外しレールモーター装置接続
27 ファン取り付け取り外しレールモーター回転用
28  熱湯スクリュー官
29  第一スクリュー湯受け羽
30  第二スクリュー湯受け羽
31  第一超小型ダイナモファン                          
32  第二超小型ダイナモフアン
33  電熱ニクロム板コンロニクロム線
34  コンロ熱湯官
35  スクリュー湯スプリン押し弁
36  軽水素ダイオードパネル
37  接続取り付け装置
38  電磁石 1
39  電磁石 2
40  電磁石 3
41  電磁石 4
42  電磁石 5
43  電磁石 6
44  電磁石 7
45  電磁石 8
46  二連歯車モーター1
47  電磁石 11
48  電磁石 12
49  電磁石 13
50  電磁石 14
51  電磁石 15
52  電磁石 16
53  電磁石 17
54  電磁石 18
55  二連歯車モーター2
56  第二お湯循環型タンク
57  インバーター装置 1             (磁気変換装置)
58  インバーター装置 2             (磁気変換装置)
59  二連歯車モーター装置回転位置認識確認装置 1
60  二連歯車モーター装置回転位置認識確認装置 2
【図１】
2012052788.tif 000003
【図２】
2012052788.tif 000004
【図３】
2012052788.tif 000005
【図４】
2012052788.tif 000006
【図５】
2012052788.tif 000007
【図６】
2012052788.tif 000008
【図７】
2012052788.tif 000009
【図８】
2012052788.tif 000010
【図９】
2012052788.tif 000011
【図１０】
2012052788.tif 000012
【図１１】
2012052788.tif 000013
【図１２】
2012052788.tif 000014
【図１３】
2012052788.tif 000015
【図１４】
2012052788.tif 000016
【図１５】
2012052788.tif 000017
【図１６】
2012052788.tif 000018
【図１７】
2012052788.tif 000019
【図１８】
2012052788.tif 000020
【図１９】
2012052788.tif 000021
【図２０】
2012052788.tif 000022
【図２１】
2012052788.tif 000023
【図２２】
2012052788.tif 000024
【図２３】
2012052788.tif 000025
【図２４】
2012052788.tif 000026
【図２５】
2012052788.tif 000027
【図２６】
2012052788.tif 000028
【図２７】
2012052788.tif 000029
【図２８】
2012052788.tif 000030
【図２９】
2012052788.tif 000031